(57)【要約】【課題】  ラックの扉板の構造の改良で、扉板を開けた状態で空間が節約できるようにすると共に扉板が損傷されないようにすることを課題とする。【解決手段】  ラック（20）の扉板(10)の左右側面に相対的に制限溝(12)を設置し、ラック（20）収納空間(21)内に設置した扉板(10)の２つの制限溝(12)に相対する位置に枢接軸(30)を設置し、且つ、扉板(10)の移動を制限するための滑架部(26)を設置する。これにより、扉板(10)は旋回式開閉及び滑動式収納機能を具備する。即ち、扉板(10)を開けた後、収納空間(21)内に扉板(10)を収納することが可能となる。【選択図】  図５
0003114072.tif 000002
【実用新案登録請求の範囲】
【請求項１】
ラック（20）に設けてある収納空間(21)の開け口に設置され、旋回式開閉機能を具備し、具体的には左右の側面にそれぞれ側向縁部(11)が形成され、各側向縁部(11)はそれぞれ１つの制限溝(12)を具備し、制限溝(12)は側向縁部(11)の板壁を貫通し、制限溝(12)内に枢接軸(30)が設置され、
枢接軸(30)は、適当な長さ及び外径を有しており、制限溝(12)に嵌入してあり、
ラック（20)の収納空間(21)の左右にある側壁(22)の上部の適当な位置に貫通孔(24)が設けられ、
左右の側壁(22)内側の適当な位置に扉板(10)を載置するための滑架部(26)が設置されることにより、ラック（20）の収納空間(21)内に扉板(10)を可動式に収納させることを特徴とするラックの扉板構造。
【請求項２】
上記枢接軸(30)は中心にボルト孔(31)を有し、ラック（20）の左右にある側壁(22)上部の適当な位置に貫通孔(24)が設けられ、１つのボルト(25)を貫通孔(24)に貫通させ、制限溝(12)内に設置した枢接軸(30)のボルト孔(31)とネジ結合させることにより、枢接軸(30)が固定されることを特徴とする請求項１記載のラックの扉板構造。
【請求項３】
上記扉板(10)は外側の上端に１つの掛架(13)を設置することもできることを特徴とする請求項１記載のラックの扉板構造。
【請求項４】
上記扉板(10)は外側の底端に１つの取手(14)を設置することもできることを特徴とする請求項１記載のラックの扉板構造。
【請求項５】
上記扉板(10)は外側の底端の左右両側にそれぞれ外側に突出するストッパー(15)を有してもよく、扉板(10)を閉めるとき、ストッパー(15)はラック（20）の左右の側壁(22)の前面に当たりストッパーとなることを特徴とする請求項１記載のラックの扉板構造。
【考案の詳細な説明】
【技術分野】
【０００１】
本考案は一種のラックの扉板の構造の改良で、特に、扉板の移動を制限するための滑架部を設置することにより、扉板は旋回式開閉及び滑動式収納機能を具備し、即ち、扉板を開けた後、収納空間内に扉板を収納することができるラックの扉板構造に関する。
【背景技術】
【０００２】
従来のラックの扉板は周知の如く、蝶番等により扉板を連結することにより、開閉することができる構造である。
【考案の開示】
【考案が解決しようとする課題】
【０００３】
しかし、上記従来の扉板を有するラックの構造は下記欠点があり、改良が待たれている。
１．扉板を開けた時に、扉板がラックの外側に開かれるため、ラックの外側の空間を浪費する。
２．扉板の面積が大きければ大きいほど空間を更に浪費する。
３．状況により扉板を開けている時間の長さは異なるが、収納物の出し入れが容易であるため、扉板を開けたままにしやすいが、反対に下記欠点がある。
a.狭い通路に設置して、扉板が開いたままの状態では人が通行する時に、扉板が邪魔になり、且つ、危険である。
b.扉板を長い間開いたままの状態にして置くと、扉板が変形しやすい。
c.開いた扉板に人或いは物がぶつかったりすると、扉板が壊れる虞れがある。
【０００４】
従って、従来のラックの扉板の上記欠点を解決した構造の一種のラックの扉板を開発することが、関係業界では開発目標となっている。
【０００５】
本考案は、上記課題を解決したラックの扉板構造を提供することを目的とする。
【課題を解決するための手段】
【０００６】
本考案は、一種のラックの扉板の構造の改良で、従来のラックの扉を開けた時に空間を大きくとるという欠点に焦点を当てて改良したもので、その主な特徴はラック（20）の扉板(10)の左右側面に相対的に制限溝(12)を設置し、ラック（20）の収納空間(21)内に設置した扉板(10)の２つの制限溝(12)に相対する位置に枢接軸(30)を設置し、且つ、扉板(10)の移動を制限するための滑架部(26)を設置することにより、扉板(10)は旋回式開閉及び滑動式収納機能を具備し、即ち、扉板(10)を開けた後、扉板(10)が収納空間(21)内に収納される構成である。
【０００７】
また、扉板(10)はラック（20)に設けてある収納空間(21)の開け口に設置され、旋回式開閉機能を具備し、左右の側面にそれぞれ側向縁部(11)が形成され、各側向縁部(11)はそれぞれ１つの制限溝(12)を具備し、制限溝(12)は側向縁部(11)板壁を貫通し、制限溝(12)内に枢接軸(30)が設置され、枢接軸(30)は適当な長さ及び外径を有することにより、制限溝(12)に嵌入でき、ラック（20)の収納空間(21)の左右にある側壁(22)上部の適当な位置に貫通孔(24)が設けられ、左右の側壁(22)内側の適当な位置に扉板(10)を載置するための滑架部(26)が設置されることにより、ラック（20）収納空間(21)内に扉板(10)を可動式収納させることができる。
【考案の効果】
【０００８】
扉板(10)を開けた後、扉板(10)が収納空間(21)内に収納されることによって、空間の節約及び扉板(10)が壊れる確率を大幅に下げることができる。
【考案を実施するための最良の形態】
【０００９】
次に本考案の実施の形態について説明する。
【実施例１】
【００１０】
本考案の構造の特徴及びその効果を以下に実施例とそれに合わせた図式及び詳細な説明を列挙し、本考案の長所を詳述する。
【００１１】
図１、図２、図３は本考案のラックの扉板構造の実施例を示す。図１に示すように、扉板(10)はラック（20）に設けてある収納空間(21)の開け口に設置され、旋回式開閉機能を具備し、金属板より製成され、左右の側面にそれぞれ側向縁部(11)が形成され、各側向縁部(11)はそれぞれ１つの制限溝(12)を具備し、制限溝(12)は側向縁部(11)の板壁を貫通し、制限溝(12)内に枢接軸(30)が設置してある。
【００１２】
図２、図３に示すように、枢接軸(30)は適当な長さ及び外径を有することにより、制限溝(12)に嵌入でき、枢接軸(30)は中心にボルト孔(31)を有し、ラック（20）の左右にある側壁(22)上部の適当な位置に貫通孔(24)が設けられ、１つのボルト(25)を貫通孔(24)に貫通させ、制限溝(12)内に設置した枢接軸(30)のボルト孔(31)とネジ結合させることにより、枢接軸(30)が固定され、且つ、扉板(10)が可動状態でラック（20）上に一体化され、更に、左右の側壁(22)内側の適当な位置に扉板(10)を載置するための滑架部(26)が設置されることにより（図３参照）、ラック（20）の収納空間(21)内に扉板(10)を可動式収納させることができる。上記滑架部(26)はL型断面の金属板でもよい。
【００１３】
上記構造において、上記扉板(10)は外側の上端に１つの掛架(13)を設置することもでき、物を掛けることができる。
【００１４】
上記構造において、上記扉板(10)は外側の底端に１つの取手(14)を設置することもでき、取手として使用することもできる。本実施例では取手(14)はL型の構造形態である。
【００１５】
上記構造において、上記扉板(10)は外側の底端の左右両側にそれぞれ外側に突出するストッパー(15)を有してもよく（本実施例ではストッパー(15)は扉板(10)と一体成型である）、扉板(10)を閉めるとき、ストッパー(15)はラック（20）の左右の側壁(22)前面に当たりストッパーとなる（図４参照）。
【００１６】
上記構造により扉板(10)とラック（20）の収納空間(21)とを組み合わせ、扉板(10)の制限溝(12)に枢接軸(30)を設置し、ボルト(25)により枢接軸(30)を固定し、ラック（20）上に扉板(10)を設置する構造により旋回式開閉及び滑動式収納機能を具備することができる。扉板(10)の作動状態は図４に示す如く、扉板(10)を垂直方向に閉じた状態のとき、制限溝(12)の第一端(121)が側壁(22)内側に固定された枢接軸(30)により制限を受け（図１参照）、扉板(10)を垂掛状態にし、この時、扉板(10)の底部は左右に具備するストッパー(15)によりラック（20）の左右の側壁(22)の前面に当たりストッパーとなる。図５に示すように、扉板(10)を開けるとき、使用者は取手(14)を持って、上に引っ張り上げることにより、扉板(10)は（図５中のaの方向に）旋回し、扉板(10)が水平になった時、内側方向に（図５中のbの方向に）押すことにより、扉板(10)をラック（20）の収納空間(21)内に移動させることができ、この時、ラック（20）の枢接軸(30)は扉板(10)制限溝(12)の第一端(121)から第二端(122)に移動し、又、扉板(10)の移動は、扉板(10)の左右のストッパー(15)がラック（20）左右の側壁(22)の前面に当たって停止する（図６参照）。
【００１７】
本考案のラックの扉板構造は、以下の効果を有する。
１．ラック（20）扉板(10)の左右側面に相対的に制限溝(12)を設置し、ラック（20）の収納空間(21)内の２つの上記制限溝(12)に相対する位置に枢接軸(30)を設置する構造により、扉板(10)は旋回式開閉及び滑動式収納機能を具備し、即ち、扉板(10)を開けた後、収納空間(21)内に扉板(10)を収納することができ、空間の節約及び扉板(10)の損害率を大幅に下げることができる。
２．本考案のもう１つの目的は、上記扉板(10)は外側の上端に１つの掛架(13)を設置することもでき、物を掛けることができる。
３．本考案の更にもう１つの目的は、上記扉板(10)は外側の底端の左右両側にそれぞれ外側に突出するストッパー(15)を有してもよく、扉板(10)を閉める時、ストッパー(15)はラック（20）の左右の側壁(22)前面に当たりストッパーとなる。
【００１８】
上記は本考案の考案実施例について本創作の技術及び特徴を具体に説明するもので、熟知した技術者が本創作の延長線上で修正作業を行なっても本創作の権利範囲内である。
【図面の簡単な説明】
【００１９】
【図１】本考案の扉板(10)とラック（20）の分解立体図である。
【図２】本考案の扉板(10)と枢接軸(30)の分解立体の部分拡大図である。
【図３】本考案の扉板(10)とラック（20）の組み合わせ部分の断面図である。
【図４】本考案の扉板(10)を閉めた状態を示す立体図である。
【図５】本考案の扉板(10)を開け、収納する動作を示す図である。
【図６】本考案の扉板(10)がラック（20）内に収納される状態を示す図である。
【符号の説明】
【００２０】
10  扉板
11  側向縁部
12  制限溝
121  第一端
122  第二端
13  掛架
14  取手
15  ストッパー
20  棚
21  収納空間
22  側壁
23  頂壁
24貫通孔
25  ボルト
26  滑架部
30  枢接軸
31  ボルト孔
【図１】
0003114072.tif 000003
【図２】
0003114072.tif 000004
【図３】
0003114072.tif 000005
【図４】
0003114072.tif 000006
【図５】
0003114072.tif 000007
【図６】
0003114072.tif 000008